(57)【要約】【課題】テレビ視聴中の場合に電話をかける或いは電話を受ける場合、自動的にテレビの音声消音やＶＴＲ録画等の電化製品への操作を自動的に行う赤外線内蔵携帯電話機を提供する。【解決手段】赤外線内蔵携帯電話機１０はテレビ２０の操作指令を行う。操作部１０１は各種の操作を行う。赤外線インターフェイス１０２はテレビ２０と赤外線１０４によるデータ通信を行う。読出専用メモリ１０５は各メーカーのテレビやＶＴＲのリモコン用信号フォーマットを記憶する。書換可能メモリ１０６は選択したテレビメーカー等の情報を記憶する。制御部１０３はこれら各ブロックの制御を行う。【選択図】      図１
2004179862.tif 000002
【特許請求の範囲】
【請求項１】
携帯電話機であって、
複数の通信プロトコルを記憶しておく読出専用メモリと、この読出専用メモリから１つの通信プロトコルを選択する切替手段と、選択した特定の前記通信プロトコルの情報を保持するための書換可能メモリとを有し、
前記携帯電話機の通話開始時に、自動的に家電製品の動作状態の制御を前記選択した通信プロトコルによる赤外線の送光により行うことを特徴とする赤外線内蔵携帯電話機。
【請求項２】
前記書換可能メモリに少なくとも１つの前記通信プロトコルの情報を書き込み、少なくとも１つの前記家電製品の制御を行うことを特徴とする請求項１記載の赤外線内蔵携帯電話機。
【請求項３】
通話終了時、前記家電製品の動作状態を通話前の状態に自動的に戻すことを特徴とする請求項１又は請求項２記載の赤外線内蔵携帯電話機。
【請求項４】
前記家電製品のメーカー名を選択する操作手段を有することを特徴とする請求項１、２又は３記載の赤外線内蔵携帯電話機。
【請求項５】
赤外線内蔵携帯電話機と、この赤外線により操作されるテレビとから成り、
前記赤外線内蔵携帯電話機は、各種操作を行う操作部と、前記テレビと赤外線によるデータ通信を行う赤外線インターフェイスと、各メーカーのテレビやビデオテープレコーダ（ＶＴＲ）のリモコン用信号フォーマットが記憶されている読出専用メモリと、選択した前記テレビメーカーの情報を記憶しておく書換可能メモリと、これら各ブロックの制御を行う制御部とを備えたことを特徴とする赤外線内蔵携帯電話機。
【請求項６】
前記赤外線内蔵携帯電話機の操作部には、電話をかける時や受ける時に使用する開始ボタン、通話を終了する時に使用する終了ボタンが設けられ、前記開始ボタンにより消音や録画開始の操作指令を赤外線送光し、前記終了ボタンにより前記消音や録画開始の解除の操作指令を赤外線送光することを特徴とする請求項５記載の赤外線内蔵携帯電話機。
【請求項７】
請求項５記載の赤外線内蔵携帯電話機であって、
前記赤外線内蔵携帯電話機内の前記読出専用メモリには各メーカーのテレビのリモコン用信号フォーマットが記憶されており、最初に前記操作部によりテレビメーカー名が選択されているかどうかの判定を行うテレビメーカー名判定ステップと；
選択されていなければ、前記操作部で前記テレビメーカー名を選択するテレビメーカー名選択ステップと；
選択すると選択情報が前記書換可能メモリに書き込まれ、次回からは選択されたメーカーのテレビが前記赤外線内蔵携帯電話機により制御可能となり、テレビ視聴中、電話をかけるため或いは電話を受けるために、前記操作部にある開始ボタンを押下し、前記開始ボタンの押下の有無を判定する開始ボタン押下判定ステップと；
前記開始ボタンが押下された場合、前記制御部は前記赤外線インターフェイスにより前記テレビに対して、音声ミュートを行う制御信号を前記赤外線により送出し、テレビの音声を消去する音声消去ステップと；
通話を終了させるため、前記操作部にある終了ボタンを押下し、前記終了ボタンが押下されたかどうかを判定する終了ボタン押下判定ステップと；
前記終了ボタン押下の場合、前記制御部は前記赤外線インターフェイスより前記テレビに対して、音声ミュートを解除する制御信号を前記赤外線により送出し、再び前記テレビの音声を出力させる音声消去解除ステップと；
を備えたことを特徴とする赤外線内蔵携帯電話機を用いた家電操作方法。
【請求項８】
請求項５記載の赤外線内蔵携帯電話機であって、
前記赤外線内蔵携帯電話機内の前記読出専用メモリには各メーカーのビデオテープレコーダ（ＶＴＲ）のリモコン用信号フォーマットが記憶されており、最初に前記操作部によりＶＴＲメーカー名が選択されているかどうかの判定を行うＶＴＲメーカー名判定ステップと；
選択されていなければ、前記操作部で前記ＶＴＲメーカー名を選択するＶＴＲメーカー名選択ステップと；
選択すると選択情報が前記書換可能メモリに書き込まれ、次回からは選択されたメーカーのＶＴＲが前記赤外線内蔵携帯電話機により制御可能となり、テレビ視聴中、電話をかけるため或いは電話を受けるために、前記操作部にある開始ボタンを押下し、前記開始ボタンの押下の有無を判定する開始ボタン押下判定ステップと；
前記開始ボタンが押下された場合、前記制御部は前記赤外線インターフェイスにより前記ＶＴＲに対して、視聴中のテレビ番組の録画を行う制御信号を前記赤外線により送出し、録画を開始させる録画開始ステップと；
通話を終了させるため、前記操作部にある終了ボタンを押下し、前記終了ボタンが押下されたかどうかを判定する終了ボタン押下判定ステップと；
前記終了ボタン押下の場合、前記制御部は前記赤外線インターフェイスより前記ＶＴＲに対して、視聴中のテレビ番組の録画を停止する制御信号を前記赤外線により送出し、録画を終了させる録画終了ステップと；
を備えたことを特徴とする赤外線内蔵携帯電話機を用いた家電操作方法。
【請求項９】
請求項５記載の赤外線内蔵携帯電話機であって、
前記赤外線内蔵携帯電話機内の前記読出専用メモリには各メーカーのテレビとＶＴＲのリモコン用信号フォーマットが記憶されており、最初に前記操作部によりテレビメーカー名とＶＴＲメーカー名が選択されているかどうかの判定を行うメーカー名判定ステップと；
選択されていなければ、前記操作部で前記テレビメーカー名及び前記ＶＴＲメーカー名を選択するメーカー名選択ステップと；
選択すると選択情報が前記書換可能メモリに書き込まれ、次回からは選択されたメーカーのテレビ及びＶＴＲが前記赤外線内蔵携帯電話機により制御可能となり、テレビ視聴中、電話をかけるため或いは電話を受けるために、前記操作部にある開始ボタンを押下し、前記開始ボタンの押下の有無を判定する第１の開始ボタン押下判定ステップと；
前記開始ボタンが押下された場合、前記制御部は前記赤外線インターフェイスより前記テレビに対して、音声ミュートを行う制御信号を前記赤外線により送出し、テレビの音声を消去する音声消去ステップと；
通話を終了させるため、前記操作部にある終了ボタンを押下し、前記終了ボタンの押下の有無を判定する第１の終了ボタン押下判定ステップと；
前記終了ボタン押下の場合、前記制御部は前記赤外線インターフェイスより前記テレビに対して、音声ミュートを解除する制御信号を前記赤外線により送出し、再び前記テレビの音声を出力させる音声消去解除ステップと；
前記終了ボタン押下判定ステップで、前記終了ボタンが押下されずに、もし通話中に視聴中のテレビ番組を録画したい場合には、前記操作部にある前記開始ボタンを押下し、前記開始ボタンの押下の有無を判定する第２の開始ボタン押下判定ステップと；
前記開始ボタン押下の場合、前記制御部は前記赤外線インターフェイスより前記ＶＴＲに対して、視聴中のテレビ番組の録画を行う制御信号を前記赤外線により送出し、録画を開始させる録画開始ステップと；
通話を終了させるため、前記操作部にある前記終了ボタンを押下し、前記終了ボタンの押下の有無を判定する第２の終了ボタン押下判定ステップと；
前記終了ボタン押下の場合、前記制御部は前記赤外線インターフェイスより前記テレビに対して、音声ミュートを解除する制御信号を前記赤外線により送出し再び前記テレビの音声を出力させると共に、前記ＶＴＲに対して視聴中のテレビ番組の録画を停止する制御信号を前記赤外線により送出し、録画を終了させる音声消去解除及び録画終了ステップと；
を備えたことを特徴とする赤外線内蔵携帯電話機を用いた家電操作方法。
【請求項１０】
前記読出専用メモリに記憶されている前記リモコン用信号フォーマットは、「リーダ」ブロック、「カスタムコード」ブロック、「パリティ」ブロック、「データコード」ブロック、「トレーラ」ブロックから構成され、送信コード０と１の区別は、送信信号のパルス間隔を変えることにより行うＰＰＭ方式を用いたことを特徴とする請求項５又は請求項６記載の赤外線内蔵携帯電話機。
【発明の詳細な説明】
【０００１】
【発明の属する技術分野】
本発明は赤外線内蔵携帯電話機及びこれを用いた家電操作方法に関し、特にテレビ視聴中に電話の発信や着信があると自動的にテレビの音声をミュートし、あるいはビデオテープレコーダ（ＶＴＲ）等に視聴中の番組の録画を指示する赤外線内蔵携帯電話機及びこれを用いた家電操作方法に関する。
【０００２】
【従来の技術】
従来、テレビ視聴中に電話をかける或いは電話を受ける場合には、リモコン等によりテレビの音声ミュート（消音）を行うか、またはＶＴＲに視聴中のテレビ番組の録画を行う等の煩雑な操作が緊急に必要であった。
【０００３】
一方、最近の携帯電話機の普及は極めて著しく、現在では携帯電話機に赤外線インターフェイスが内蔵され、他の携帯電話機やパソコン等とデータ通信可能なものがある。
【０００４】
例えば従来の赤外線内蔵携帯電話機は、コードレス電話機またはＰＨＳからの指令部からの作動制御信号を、クーラー等の電化製品に向けて赤外線送光することでリモコン操作の代用にしている（例えば、特許文献１参照。）。
【０００５】
また、携帯電話機に赤外線発信装置を設け、クーラー、照明等の動作調整をリモコンとして行っているものもある（例えば、特許文献２参照。）。
【０００６】
【特許文献１】
特開平１０−１５５０３０号公報（第２−３頁、図１、図２）
【特許文献２】
特開２０００−２５３１２３号公報（第２−３頁、図１、図２）
【０００７】
【発明が解決しようとする課題】
上述した従来の赤外線内蔵携帯電話機は、いずれも携帯電話機を単に電化製品付属のリモコン機器として代替的に使用しているだけで、携帯電話機保持者が着信や発信時にテレビ等の消音やＶＴＲ等録画を行いたい場合、即座に通話中の携帯電話機を使用して操作指令を電化製品に向けて送信しなければならず、操作が煩雑になりかつ誤操作する可能性があるという欠点を有している。
【０００８】
また、緊急時にリモコンとしての携帯電話機を探して操作する場合、即座に対応ができないという欠点を有している。
【０００９】
本発明の目的は、大音量でテレビ視聴中の場合に電話をかける或いは電話を受ける場合、自動的にテレビの音声消音やＶＴＲ録画等の電化製品への操作を自動的に行うことで煩雑な操作を不要にする赤外線内蔵携帯電話機及びこれを用いた家電操作方法を提供することにある。
【００１０】
【課題を解決するための手段】
本発明の第１の赤外線内蔵携帯電話機は、携帯電話機であって、
複数の通信プロトコルを記憶しておく読出専用メモリと、この読出専用メモリから１つの通信プロトコルを選択する切替手段と、選択した特定の前記通信プロトコルの情報を保持するための書換可能メモリとを有し、
前記携帯電話機の通話開始時に、自動的に家電製品の動作状態の制御を前記選択した通信プロトコルによる赤外線の送光により行うことを特徴としている。
【００１１】
本発明の第２の赤外線内蔵携帯電話機は、前記第１の赤外線内蔵携帯電話機において、
前記書換可能メモリに少なくとも１つの前記通信プロトコルの情報を書き込み、少なくとも１つの前記家電製品の制御を行うことを特徴としている。
【００１２】
本発明の第３の赤外線内蔵携帯電話機は、前記第１または第２の赤外線内蔵携帯電話機において、
通話終了時、前記家電製品の動作状態を通話前の状態に自動的に戻すことを特徴としている。
【００１３】
本発明の第４の赤外線内蔵携帯電話機は、前記第１〜第３のいずれかの赤外線内蔵携帯電話機において、
前記家電製品のメーカー名を選択する操作手段を有することを特徴としている。
【００１４】
本発明の第５の赤外線内蔵携帯電話機は、
赤外線内蔵携帯電話機と、この赤外線により操作されるテレビとから成り、
前記赤外線内蔵携帯電話機は、各種操作を行う操作部と、前記テレビと赤外線によるデータ通信を行う赤外線インターフェイスと、各メーカーのテレビやビデオテープレコーダ（ＶＴＲ）のリモコン用信号フォーマットが記憶されている読出専用メモリと、選択した前記テレビメーカーの情報を記憶しておく書換可能メモリと、これら各ブロックの制御を行う制御部とを備えたことを特徴としている。
【００１５】
本発明の第６の赤外線内蔵携帯電話機は、前記第５の赤外線内蔵携帯電話機において、
前記赤外線内蔵携帯電話機の操作部には、電話をかける時や受ける時に使用する開始ボタン、通話を終了する時に使用する終了ボタンが設けられ、前記開始ボタンにより消音や録画開始の操作指令を赤外線送光し、前記終了ボタンにより前記消音や録画開始の解除の操作指令を赤外線送光することを特徴としている。
【００１６】
本発明の第７の赤外線内蔵携帯電話機を用いた家電操作方法は、前記第５の赤外線内蔵携帯電話機において、
前記赤外線内蔵携帯電話機内の前記読出専用メモリには各メーカーのテレビのリモコン用信号フォーマットが記憶されており、最初に前記操作部によりテレビメーカー名が選択されているかどうかの判定を行うテレビメーカー名判定ステップと；
選択されていなければ、前記操作部で前記テレビメーカー名を選択するテレビメーカー名選択ステップと；
選択すると選択情報が前記書換可能メモリに書き込まれ、次回からは選択されたメーカーのテレビが前記赤外線内蔵携帯電話機により制御可能となり、テレビ視聴中、電話をかけるため或いは電話を受けるために、前記操作部にある開始ボタンを押下し、前記開始ボタンの押下の有無を判定する開始ボタン押下判定ステップと；
前記開始ボタンが押下された場合、前記制御部は前記赤外線インターフェイスにより前記テレビに対して、音声ミュートを行う制御信号を前記赤外線により送出し、テレビの音声を消去する音声消去ステップと；
通話を終了させるため、前記操作部にある終了ボタンを押下し、前記終了ボタンが押下されたかどうかを判定する終了ボタン押下判定ステップと；
前記終了ボタン押下の場合、前記制御部は前記赤外線インターフェイスより前記テレビに対して、音声ミュートを解除する制御信号を前記赤外線により送出し、再び前記テレビの音声を出力させる音声消去解除ステップと；
を備えた方法を特徴としている。
【００１７】
本発明の第８の赤外線内蔵携帯電話機を用いた家電操作方法は、前記第５の赤外線内蔵携帯電話機において、
前記赤外線内蔵携帯電話機内の前記読出専用メモリには各メーカーのビデオテープレコーダ（ＶＴＲ）のリモコン用信号フォーマットが記憶されており、最初に前記操作部によりＶＴＲメーカー名が選択されているかどうかの判定を行うＶＴＲメーカー名判定ステップと；
選択されていなければ、前記操作部で前記ＶＴＲメーカー名を選択するＶＴＲメーカー名選択ステップと；
選択すると選択情報が前記書換可能メモリに書き込まれ、次回からは選択されたメーカーのＶＴＲが前記赤外線内蔵携帯電話機により制御可能となり、テレビ視聴中、電話をかけるため或いは電話を受けるために、前記操作部にある開始ボタンを押下し、前記開始ボタンの押下の有無を判定する開始ボタン押下判定ステップと；
前記開始ボタンが押下された場合、前記制御部は前記赤外線インターフェイスにより前記ＶＴＲに対して、視聴中のテレビ番組の録画を行う制御信号を前記赤外線により送出し、録画を開始させる録画開始ステップと；
通話を終了させるため、前記操作部にある終了ボタンを押下し、前記終了ボタンが押下されたかどうかを判定する終了ボタン押下判定ステップと；
前記終了ボタン押下の場合、前記制御部は前記赤外線インターフェイスより前記ＶＴＲに対して、視聴中のテレビ番組の録画を停止する制御信号を前記赤外線により送出し、録画を終了させる録画終了ステップと；
を備えた方法を特徴としている。
【００１８】
本発明の第９の赤外線内蔵携帯電話機を用いた家電の操作方法は、前記第５の赤外線内蔵携帯電話機において、
前記赤外線内蔵携帯電話機内の前記読出専用メモリには各メーカーのテレビとＶＴＲのリモコン用信号フォーマットが記憶されており、最初に前記操作部によりテレビメーカー名とＶＴＲメーカー名が選択されているかどうかの判定を行うメーカー名判定ステップと；
選択されていなければ、前記操作部で前記テレビメーカー名及び前記ＶＴＲメーカー名を選択するメーカー名選択ステップと；
選択すると選択情報が前記書換可能メモリに書き込まれ、次回からは選択されたメーカーのテレビ及びＶＴＲが前記赤外線内蔵携帯電話機により制御可能となり、テレビ視聴中、電話をかけるため或いは電話を受けるために、前記操作部にある開始ボタンを押下し、前記開始ボタンの押下の有無を判定する第１の開始ボタン押下判定ステップと；
前記開始ボタンが押下された場合、前記制御部は前記赤外線インターフェイスより前記テレビに対して、音声ミュートを行う制御信号を前記赤外線により送出し、テレビの音声を消去する音声消去ステップと；
通話を終了させるため、前記操作部にある終了ボタンを押下し、前記終了ボタンの押下の有無を判定する第１の終了ボタン押下判定ステップと；
前記終了ボタン押下の場合、前記制御部は前記赤外線インターフェイスより前記テレビに対して、音声ミュートを解除する制御信号を前記赤外線により送出し、再び前記テレビの音声を出力させる音声消去解除ステップと；
前記終了ボタン押下判定ステップで、前記終了ボタンが押下されずに、もし通話中に視聴中のテレビ番組を録画したい場合には、前記操作部にある前記開始ボタンを押下し、前記開始ボタンの押下の有無を判定する第２の開始ボタン押下判定ステップと；
前記開始ボタン押下の場合、前記制御部は前記赤外線インターフェイスより前記ＶＴＲに対して、視聴中のテレビ番組の録画を行う制御信号を前記赤外線により送出し、録画を開始させる録画開始ステップと；
通話を終了させるため、前記操作部にある前記終了ボタンを押下し、前記終了ボタンの押下の有無を判定する第２の終了ボタン押下判定ステップと；
前記終了ボタン押下の場合、前記制御部は前記赤外線インターフェイスより前記テレビに対して、音声ミュートを解除する制御信号を前記赤外線により送出し再び前記テレビの音声を出力させると共に、前記ＶＴＲに対して視聴中のテレビ番組の録画を停止する制御信号を前記赤外線により送出し、録画を終了させる音声消去解除及び録画終了ステップと；
を備えた方法を特徴としている。
【００１９】
本発明の第１０の赤外線内蔵携帯電話機は、前記第５または第６の赤外線内蔵携帯電話機において、
前記読出専用メモリに記憶されている前記リモコン用信号フォーマットは、「リーダ」ブロック、「カスタムコード」ブロック、「パリティ」ブロック、「データコード」ブロック、「トレーラ」ブロックから構成され、送信コード０と１の区別は、送信信号のパルス間隔を変えることにより行うＰＰＭ方式を用いたことを特徴としている。
【００２０】
【発明の実施の形態】
次に、本発明の実施の形態について図面を参照して説明する。
【００２１】
図１は本発明の赤外線内蔵携帯電話機の一つの実施の形態を示すブロック図である。
【００２２】
図１に示す本実施の形態は、赤外線内蔵携帯電話機１０と、赤外線１０４により操作されるテレビ２０とから構成されている。
【００２３】
赤外線内蔵携帯電話機１０は、各種操作を行う操作部１０１と、テレビ２０と赤外線１０４によるデータ通信を行う赤外線インターフェイス１０２と、各メーカーのテレビやＶＴＲのリモコン用信号フォーマットが記憶されている読出専用メモリ１０５と、選択したテレビメーカーの情報を記憶しておく書換可能メモリ１０６と、これら各ブロックの制御を行う制御部１０３とを有している。
【００２４】
図２は赤外線内蔵携帯電話機を用いた利用形態の図である。
【００２５】
なお、図２において図１に示す構成要素に対応するものは同一の参照数字または符号を付し、その説明を省略する。
【００２６】
図２に示すように、赤外線内蔵携帯電話機１０の操作部１０１には、電話をかける時や受ける時に使用する開始ボタン３０１、通話を終了する時に使用する終了ボタン３０２が設けられている。テレビ２０は、赤外線内蔵携帯電話機１０からの赤外線１０４により操作指令を受信する。
【００２７】
図３は本発明の赤外線内蔵携帯電話機の動作を説明するフローチャートである。
【００２８】
次に、図１、図２および図３を参照して本実施の形態の動作をより詳細に説明する。
【００２９】
赤外線内蔵携帯電話機１０内の読出専用メモリ１０５には各メーカーのテレビのリモコン用信号フォーマットが記憶されている。最初に操作部１０１によりテレビメーカー名選択操作を行う。ステップＡ１でテレビメーカー名が選択されているかどうかの判定が行われる（ステップＡ１）。
【００３０】
選択されていなければ、操作部１０１でテレビメーカー名を選択する（ステップＡ２）。選択すると、その情報が書換可能メモリ１０６に書き込まれ、次回からは選択されたメーカーのテレビが赤外線内蔵携帯電話機１０により制御可能となる。
【００３１】
テレビ視聴中、電話をかけるため或いは電話を受けるために、操作部１０１にある開始ボタン３０１を押下すると、ステップＡ３で開始ボタンの押下の有無を判定する（ステップＡ３）。開始ボタン３０１が押下された場合、制御部１０３は赤外線インターフェイス１０２によりテレビ２０に対して、音声ミュートを行う制御信号を赤外線１０４により送出し、テレビ２０の音声を消去する（ステップＡ４）。
【００３２】
次に、通話を終了させるため、操作部１０１にある終了ボタン３０２を押下する。ステップＡ５で終了ボタン３０２が押下されたかどうかを判定する（ステップＡ５）。終了ボタン３０２押下の場合、制御部１０３は赤外線インターフェイス１０２より、テレビ２０に対して音声ミュートを解除する制御信号を赤外線１０４により送出し、再びテレビ２０の音声を出力させる（ステップＡ６）。
【００３３】
図４はリモコン信号フォーマットの一例を示す図である。
【００３４】
図４によると、リモコン信号フォーマットは、「リーダ」ブロック、「カスタムコード」ブロック、「パリティ」ブロック、「データコード」ブロック、「トレーラ」ブロックから構成されている。リーダは同期パターンコードであり、カスタムコードはメーカー毎、システム毎（テレビ、ビデオ、オーディオ、その他）に異なっている。パリティはエラー検出コードであり、データコードは操作指令を示す。また、トレーラは次の信号フォーマットとの間隔を示す空きビットを示す。なお、送信コード０と１の区別は、送信信号のパルス間隔を変えることにより行うＰＰＭ方式を用いている。
【００３５】
図５は本発明の赤外線内蔵携帯電話機の第二の動作を説明するフローチャートである。
【００３６】
次に図１、図２および図５を参照して動作を説明する。
【００３７】
赤外線内蔵携帯電話機１０内の読出専用メモリ１０５には各メーカーのＶＴＲ（図示せず）のリモコン用信号フォーマットが記憶されている。最初に操作部１０１によりＶＴＲ名選択操作を行う。ステップＢ１でＶＴＲメーカー名が選択されているかどうかの判定が行われる（ステップＢ１）。
【００３８】
選択されていなければ、操作部１０１でＶＴＲメーカー名を選択する（ステップＢ２）。選択すると、その情報が書換可能メモリ１０６に書き込まれ、次回からは選択されたメーカーのＶＴＲが赤外線内蔵携帯電話機１０により制御可能となる。
【００３９】
テレビ視聴中、電話をかけるため或いは電話を受けるために、操作部１０１にある開始ボタン３０１を押下する。ステップＢ３で開始ボタン３０１の押下の有無を判定する（ステップＢ３）。開始ボタン３０１が押下された場合、制御部１０３は赤外線インターフェイス１０２によりＶＴＲに対して、視聴中のテレビ番組の録画を行う制御信号を赤外線１０４により送出し、録画を開始させる（ステップＢ４）。
【００４０】
次に、通話を終了させるため、操作部１０１にある終了ボタン３０２を押下する。ステップＢ５で終了ボタン３０２が押下されたかどうかを判定する（ステップＢ５）。終了ボタン３０２押下の場合、制御部１０３は赤外線インターフェイス１０２よりＶＴＲに対して、視聴中のテレビ番組の録画を停止する制御信号を赤外線１０４により送出し、録画を終了させる（ステップＢ６）。
【００４１】
以上説明したように、テレビ視聴中に電話をかける或いは電話を受けると、自動的にＶＴＲに視聴中のテレビ番組を録画するため、大切なテレビ番組を見逃すことがなくなる。また、ＶＴＲのリモコンを探して、録画ボタンを押すというような煩雑な操作も不要となる。
【００４２】
図６は本発明の赤外線内蔵携帯電話機の第三の動作を説明するフローチャートである。
【００４３】
次に図１、図２および図６を参照して動作を説明する。
【００４４】
赤外線内蔵携帯電話機１０内の読出専用メモリ１０５には各メーカーのテレビとＶＴＲのリモコン用信号フォーマットが記憶されている。最初に操作部１０１によりテレビメーカー名とＶＴＲメーカー名の選択操作を行う。ステップＳ１で、テレビメーカー名とＶＴＲメーカー名が選択されているかどうかの判定が行われる（ステップＳ１）。
【００４５】
選択されていなければ、操作部１０１でテレビメーカー名とＶＴＲメーカー名を選択する（ステップＳ２）。選択すると、その情報が書換可能メモリ１０６に書き込まれ、次回からは選択されたメーカーのテレビおよびＶＴＲが赤外線内蔵携帯電話機１０により制御可能となる。
【００４６】
テレビ視聴中、電話をかけるため或いは電話を受けるために、操作部１０１にある開始ボタン３０１を押下する。ステップＳ３で、開始ボタン３０１の押下の有無を判定する（ステップＳ３）。開始ボタン３０１が押下された場合、制御部１０３は赤外線インターフェイス１０２よりテレビ２０に対して、音声ミュートを行う制御信号を赤外線により送出し、テレビ２０の音声を消去する（ステップＳ４）。
【００４７】
次に、通話を終了させたい場合には、操作部１０１にある終了ボタン３０２を押下する。ステップＳ５で、終了ボタン３０２の押下の有無を判定する（ステップＳ５）。終了ボタン３０２が押下された場合、制御部１０３は赤外線インターフェイス１０２よりテレビ２０に対して、音声ミュートを解除する制御信号を赤外線１０４により送出し、再びテレビ２０の音声を出力させる（ステップＳ６）。
【００４８】
ステップＳ５で終了ボタン３０２が押下されずに、もし通話中に視聴中のテレビ番組を録画したい場合には、操作部１０１にある開始ボタン３０１を押下する。ステップＳ７で、開始ボタン３０１の押下の有無を判定する（ステップＳ７）。開始ボタン３０１押下の場合、制御部１０３は赤外線インターフェイス１０２よりＶＴＲに対して、視聴中のテレビ番組の録画を行う制御信号を赤外線１０４により送出し、録画を開始させる（ステップＳ８）。
【００４９】
次に通話を終了させるため、操作部１０１にある終了ボタン３０２を押下する。終了ボタン３０２の押下の有無を判定する（ステップＳ９）。終了ボタン３０２の押下の場合、制御部１０３は赤外線インターフェイス１０２よりテレビ２０に対して、音声ミュートを解除する制御信号を赤外線１０４により送出し再びテレビ２０の音声を出力させると共に、ＶＴＲに対して視聴中のテレビ番組の録画を停止する制御信号を赤外線１０４により送出し、録画を終了させる（ステップＳ１０）。
【００５０】
以上説明したように、赤外線内蔵携帯電話機１０は、テレビ２０の視聴中に電話をかける或いは電話を受けると、自動的にテレビ２０の音声をミュートし、またはビデオテープレコーダ（ＶＴＲ）等に視聴中の番組の録画を指示することができるので、例えば、大音量でテレビ視聴中の場合でも、電話の発信或いは電話の着信があると、自動的にテレビの音声ミュートを行うため相手の声が聞き取りやすくなる。また、簡単な操作で、ＶＴＲに視聴中のテレビ番組を録画することも可能ため、大切なテレビ番組を見逃すことがなくなる。
【００５１】
なお、本発明はテレビの消音やＶＴＲの録画に制限されるものではなく、他の家電製品（例えば、ステレオ、ラジオ、カセット、ＤＶＤ、クーラー等）に対しての自動操作にも適用可能である。
【００５２】
すなわち、一般的に複数の通信プロトコルを読出専用メモリ１０５に記憶しておき、この読出専用メモリ１０５から１つの通信プロトコルを切替手段としての制御部１０３により選択すると、選択した特定の通信プロトコルの情報を書換可能メモリ１０６に保持する。赤外線内蔵携帯電話機１０の通話開始時には、自動的に家電製品の動作状態の制御を赤外線１０４の送光により行うことになる。
【００５３】
この書換可能メモリ１０６に少なくとも１つの通信プロトコルの情報を書き込み、少なくとも１つの家電製品の制御を行うことができる。そして通話終了時には、家電製品の動作状態を通話前の状態に自動的に戻すことになる。
【００５４】
既述のとおり、家電製品のメーカー名は操作部１０１により選択することになる。
【００５５】
【発明の効果】
以上説明したように、本発明の赤外線内蔵携帯電話機及びこれを用いた家電操作方法は、大音量でテレビ視聴中の場合でも電話をかける或いは電話を受けると自動的にテレビの音声ミュート（音声消去）を行うことができるので、相手の声が聞き取りやすくなり、またテレビのリモコンを探してミュートボタンを押すというような煩雑な操作が不要になるという効果を有している。
【００５６】
さらに、テレビ視聴中に電話をかける或いは電話を受けると、自動的にＶＴＲに視聴中のテレビ番組を録画するため、大切なテレビ番組を見逃すことがなくなり、またＶＴＲのリモコンを探して録画ボタンを押すというような煩雑な操作も不要となるという効果を有している。
【図面の簡単な説明】
【図１】本発明の赤外線内蔵携帯電話機の一つの実施の形態を示すブロック図である。
【図２】赤外線内蔵携帯電話機を用いた利用形態の図である。
【図３】本発明の赤外線内蔵携帯電話機の動作を説明するフローチャートである。
【図４】リモコン信号フォーマットの一例を示す図である。
【図５】本発明の赤外線内蔵携帯電話機の第二の動作を説明するフローチャートである。
【図６】本発明の赤外線内蔵携帯電話機の第三の動作を説明するフローチャートである。
【符号の説明】
１０    赤外線内蔵携帯電話機
２０    テレビ
１０１    操作部
１０２    赤外線インターフェイス
１０３    制御部
１０４    赤外線
１０５    読出専用メモリ
１０６    書換可能メモリ
３０１    開始ボタン
３０２    終了ボタン
【図１】
2004179862.tif 000003
【図２】
2004179862.tif 000004
【図３】
2004179862.tif 000005
【図４】
2004179862.tif 000006
【図５】
2004179862.tif 000007
【図６】
2004179862.tif 000008